(57)【特許請求の範囲】
【請求項１】
横架材とこの横架材と直交状態に連結する立柱材の連結によって骨組が形成された家屋であって、前記横架材の前記立柱材の配置側の角縁にこの横架材の長さ方向に延びる第一凹部を設け、前記立柱材の前記横架材の配置側の角縁であって前記第一凹部と対向する位置に第二凹部を設け、この第一凹部及び第二凹部に前記第一凹部に沿って延びる横部材を嵌合し、この横部材を前記横架材及び前記立柱材に固定手段により固定したことを特徴とする家屋。
【請求項２】
前記第一凹部及び前記第二凹部を夫々前記家屋の外面側となる位置に設けて前記横部材を家屋の外面側となる位置に設けたことを特徴とする請求項１記載の家屋。
【請求項３】
前記横部材を前記家屋の周囲に略囲繞状態で配設したことを特徴とする請求項１，２のいずれか１項に記載の家屋。
【請求項４】
前記横架材の外面，前記立柱材の外面及び前記横部材の外面を面一に構成したことを特徴とする請求項１〜３のいずれか１項に記載の家屋。
【請求項５】
前記横部材として、前記第一凹部に沿って延びる平板を採用し、この平板を厚さ方向が水平方向となり且つ巾方向が垂直方向となるように配設したことを特徴とする請求項１〜４のいずれか１項に記載の家屋。
【請求項６】
前記横部材として、前記横架材と略同一長さの横部材を採用したことを特徴とする請求項１〜５のいずれか１項に記載の家屋。
【請求項７】
前記横部材を前記横架材及び前記立柱材に固定する固定手段として、木工用接着剤による固定手段と、釘やボルト等の連結金具による固定手段とを併用したことを特徴とする請求項１〜６のいずれか１項に記載の家屋。
【請求項８】
上下二本の前記横架材と左右二本の前記立柱材とによって形成された空間部に筋交い部材を斜設し、この筋交い部材を前記横部材に付設したことを特徴とする請求項１〜７のいずれか１項に記載の家屋。
【請求項９】
前記横架材が土台及び梁であり、前記立柱材が柱及び間柱であることを特徴とする請求項１〜８のいずれか１項に記載の家屋。
【請求項１０】
前記立柱材の上下に前記第二凹部を夫々設け、この立柱材の上下に連結される前記横架材に前記第一凹部を夫々設け、この第二凹部及び第一凹部に前記横部材を夫々嵌合したことを特徴とする請求項１〜９のいずれか１項に記載の家屋。
【請求項１１】
隣接する前記立柱材の上下の途中に中間凹部を夫々設け、この隣接する立柱材の中間凹部に前記横架材の長さ方向に延びる中間横部材を嵌合し且つこの中間横部材を隣接する前記立柱材に固定手段により固定したことを特徴とする請求項１〜１０のいずれか１項に記載の家屋。
【発明の詳細な説明】
【０００１】
【発明の属する技術分野】
本発明は、家屋に関するものである。
【０００２】
【従来の技術及び発明が解決しようとする課題】
土台や柱等の骨材を連結することによって骨組を構築する木造家屋は、例えば、二階建の家屋の場合、コンクリート製の基礎上に土台を横設し、この土台上に柱の立設し、この柱上に梁（胴差）を横設し、この梁上に柱を立設し、更にこの柱上に梁（桁）を横設することで構築されている。また、基礎と土台の固定にはアンカーボルトによる固定手段を採用し、その他の固定にはほぞとほぞ穴との凹凸嵌合による固定手段や、釘やボルトや専用の連結金具を使用する固定手段を採用している（所謂、軸組工法と呼ばれるものである。）。
【０００３】
ところで、木造家屋には、常に高強度、特に耐震性が要求されており、この為、木造家屋の骨組を構成する各骨材の連結強度を高める技術が、例えば連結金具の改良等、種々提案されている。
【０００４】
しかし、従来の連結強度を高める為の技術は隣接する骨材同志の当接部分に応力集中が起こり易いままのものばかりであり、結局、現状の木造家屋の強度は不十分であるといわざるを得ない。
【０００５】
本発明は、上記現状に鑑みて達成されたもので、骨材同志の連結強度を高めることは勿論、この骨材同志の連結部分に集中し易い応力を分散せしめて極めて全体強度が高い家屋を提供することを目的としている。
【０００６】
【課題を解決するための手段】
添付図面を参照して本発明の要旨を説明する。
【０００７】
横架材１とこの横架材１と直交状態に連結する立柱材２の連結によって骨組が形成された家屋３であって、前記横架材１の前記立柱材２の配置側の角縁にこの横架材１の長さ方向に延びる第一凹部４を設け、前記立柱材２の前記横架材１の配置側の角縁であって前記第一凹部４と対向する位置に第二凹部５を設け、この第一凹部４及び第二凹部５に前記第一凹部４に沿って延びる横部材７を嵌合し、この横部材７を前記横架材１及び前記立柱材２に固定手段により固定したことを特徴とする家屋に係るものである。
【０００８】
また、前記第一凹部４及び前記第二凹部５を夫々前記家屋３の外面側となる位置に設けて前記横部材７を家屋の外面側となる位置に設けたことを特徴とする請求項１記載の家屋に係るものである。
【０００９】
また、前記横部材７を前記家屋３の周囲に略囲繞状態で配設したことを特徴とする請求項１，２のいずれか１項に記載の家屋に係るものである。
【００１０】
また、前記横架材１の外面，前記立柱材２の外面及び前記横部材７の外面を面一に構成したことを特徴とする請求項１〜３のいずれか１項に記載の家屋に係るものである。
【００１１】
また、前記横部材７として、前記第一凹部４に沿って延びる平板を採用し、この平板を厚さ方向が水平方向となり且つ巾方向が垂直方向となるように配設したことを特徴とする請求項１〜４のいずれか１項に記載の家屋に係るものである。
【００１２】
また、前記横部材７として、前記横架材１と略同一長さの横部材７を採用したことを特徴とする請求項１〜５のいずれか１項に記載の家屋に係るものである。
【００１３】
また、前記横部材７を前記横架材１及び前記立柱材２に固定する固定手段として、木工用接着剤による固定手段と、釘やボルト等の連結金具８による固定手段とを併用したことを特徴とする請求項１〜６のいずれか１項に記載の家屋に係るものである。
【００１４】
また、上下二本の前記横架材１と左右二本の前記立柱材２とによって形成された空間部に筋交い部材９を斜設し、この筋交い部材９を前記横部材７に付設したことを特徴とする請求項１〜７のいずれか１項に記載の家屋に係るものである。
【００１５】
また、前記横架材１が土台21及び梁22であり、前記立柱材２が柱23及び間柱24であることを特徴とする請求項１〜８のいずれか１項に記載の家屋に係るものである。
【００１６】
また、前記立柱材２の上下に前記第二凹部５を夫々設け、この立柱材２の上下に連結される前記横架材１に前記第一凹部４を夫々設け、この第二凹部５及び第一凹部４に前記横部材７を夫々嵌合したことを特徴とする請求項１〜９のいずれか１項に記載の家屋に係るものである。
【００１７】
また、隣接する前記立柱材２の上下の途中に中間凹部10を夫々設け、この隣接する立柱材２の中間凹部10に前記横架材１の長さ方向に延びる中間横部材11を嵌合し且つこの中間横部材11を隣接する前記立柱材２に固定手段により固定したことを特徴とする請求項１〜１０のいずれか１項に記載の家屋に係るものである。
【００１８】
【発明の実施の形態】
横架材１とこの横架材１と直交状態に連結する立柱材２は、横架材１と立柱材２との直接連結固定の他に、横架材１に設けられた第一凹部４及び立柱材２に設けられた第二凹部５に嵌合された横部材７を介しても連結固定される。
【００１９】
従って、横架材１と立柱材２とは、この横架材１と立柱材２とが直接当接する当接部位，横架材１と横部材７とが当接する当接部位，及び，立柱材２と横部材７とが当接する当接部位で夫々連結固定されることになり、地震等によって家屋３に作用する応力が前記各当接部位に分散作用し、応力集中によって横架材１と立柱材２との連結構造が破壊されることを防止することができる。
【００２０】
また、第一凹部４は横架材１の長さ方向に延びるものであり、横部材７はこの第一凹部４に沿って延びるものであるから、横架材１と横部材７とが当接する当接部位に作用する応力、及び、立柱材２と横部材７とが当接する当接部位に作用する応力は、この横部材７に沿って分散されることになり、この点においても応力集中によって横架材１と立柱材２との連結構造の破壊が防止されることをできる。
【００２１】
また、横部材７を第一凹部４及び第二凹部５に嵌合したから、この横部材７は横架材１及び立柱材２に作用する立方向の応力を受けることができ、よって、この立方向の応力が前記横部材７の長さ方向に分散され、この点においても連結強度が高いことになる。
【００２２】
【実施例】
図１〜５は本発明の第一実施例、図６，７は本発明の第二実施例を図示したものであり、以下に説明する。
【００２３】
第一実施例は、コンクリート製の基礎20上に土台21を添設状態で横設し、この土台21上に柱23や間柱24等の立柱材２を立設し、この立柱材２上に梁22（胴差）を架設状態で横設し、この梁22上に更に立柱材２を立設し、更にこの立柱材２に梁22（桁）を架設状態で横設することで骨組を構築した木造の家屋３である。
【００２４】
基礎20と土台21とはアンカーボルト（図示省略）により連結固定している。
【００２５】
土台21の上面の角縁（前記立柱材２の配置側の角縁）には、この土台21の長さ方向に延びる第一凹部４を設けている。
【００２６】
また、第一凹部４は、土台21にして家屋３の外面側となる位置に設けている。
【００２７】
また、第一凹部４は、家屋３の周囲に略囲繞状態となるように設けている。
【００２８】
この第一凹部４は、凹段部形状のものを採用している。
【００２９】
また、この凹段部形状の第一凹部４の底角部12は、この底角部12に応力が集中することを回避する為、アール形状に構成している。
【００３０】
土台21上に立設される立柱材２の下面の角縁（前記土台21の配置側の角縁）であって前記第一凹部４と対向する位置には、第二凹部５を設けている。
【００３１】
この第二凹部５も、凹段部形状のものを採用している。
【００３２】
また、この凹段部形状の第二凹部５の底角部13は、前記第一凹部４と同様、この底角部13に応力が集中することを回避する為、アール形状に構成している。
【００３３】
この第一凹部４と第二凹部５には、この第一凹部４に沿って延びる横部材７を嵌合し、この横部材７を前記土台21及び立柱材２に固定手段により固定している。
【００３４】
横部材７は、前記第一凹部４に沿って延びる平板を採用し、この平板を厚さ方向が水平方向となり且つ巾方向が垂直方向となるように配設している。即ち、横部材７の断面形状は、図２に示すように、立長の形状であり、上下方向に作用する応力に対して高強度を発揮する。
【００３５】
また、この横部材７の断面における立と横の寸法は、入手の容易性や強度の観点から、間柱24と同じものを採用すると良い。
【００３６】
また、横部材７は、強度上の観点から、合板等ではなく無垢の木材（即ち、丸太等の原材から切り出したもの）を採用している。
【００３７】
また、横部材７は、応力集中が発生しないように、長さ方向の先端から基端まで略同一の断面形状のものを採用している。
【００３８】
また、第一凹部４の延設長さは土台21の長さと同一とし、この第一凹部４に嵌合する土台21の長さは、前記土台21と略同一長さとしている。従って、土台21上には前記柱22や間柱24等の複数の立柱材２が所定間隔を置いて立設されているから、この複数の立柱材２と一本の横部材７とが連結固定されることになる。
【００３９】
また、この横部材７の外面，前記立柱材２の外面及び前記土台21の外面は面一となるように構成している。
【００４０】
横部材７を土台21及び立柱材２に固定する固定手段は、木工用接着剤による固定手段と、釘やボルト等の連結金具８による固定手段とを併用している。具体的には、横部材７と土台21及び立柱材２とは、先ず、木工用接着剤により固定し、更に、この横部材７と土台21及び立柱材２とを連結金具８によって固定する手段を採用している。
【００４１】
尚、図面は、この土台21と立柱材２との連結構造として、土台21にほぞ穴25を設け、立柱材２の下部にほぞ26を突設してこのほぞ26を前記ほぞ穴25に凹凸嵌合せしめる連結構造を併用した場合を図示している。
【００４２】
家屋３の角部においては、隣接する横部材７同志を突き合わせる構造が採用されている。
【００４３】
また、この突き合わせ部分においては、隣接する横部材７同志をＬ型連結金具14によって連結している。
【００４４】
また、横部材７には前記Ｌ型連結金具14を嵌合する金具用凹部15を設け、このＬ型連結金具14が横部材７の外面から突出しないように構成している。尚、Ｌ型連結金具14が突出する構造であると、この突出部の周囲に応力集中が発生してしまう。
【００４５】
土台21上に立設された立柱材２の上面の角縁には、この立柱材２の下面の角縁と同様に第二凹部５を設けている。
【００４６】
また、この立柱材２上に横設される梁22（胴差）の下面の角縁には、土台21の上面の角縁と同様に第一凹部４を設けている。
【００４７】
この第二凹部５及び第一凹部４には、前記土台21の第一凹部４と前記立柱材２の第二凹部５に横部材７を嵌合固定したのと同様、横部材７を嵌合し、この横部材７を立柱材２及び梁22と固定手段により固定している。
【００４８】
同様に、梁22とこの梁22上に立設する柱23や間柱24等の立柱材２や、この立柱材２とこの立柱材２上に横設する梁22（桁）も、第一凹部４，第二凹部５及び横部材７を用いた連結とする。
【００４９】
また、第一実施例は、上下二本の前記横架材１と左右二本の立柱材２、例えば土台21及び梁22（胴差）と一本の間柱24を介して隣接する柱23及び間柱24とによって囲まれた空間部には筋交い部材９を斜設し、この筋交い部材９を前記横部材７（図面の場合、立柱材２の上下に夫々設けられた横部材７）に付設し、横部材７を介して立柱材２と土台21と筋交い部材９とを一体化せしめる構成を採用している。
【００５０】
尚、図示は省略したが、この筋交い部材９と横部材７の連結には公知の連結金具等を使用すると良い。
【００５１】
第一実施例は上述のように構成したから、土台21や梁22等の横架材１とこの横架材１と直交状態に連結する柱23や間柱24等の立柱材２は、横架材１と立柱材２との直接連結固定の他に、横架材１に設けられた第一凹部４及び立柱材２に設けられた第二凹部５に嵌合された横部材７を介しても連結固定され、この横架材１と立柱材２とが直接当接する当接部位，横架材１と横部材７とが当接する当接部位，及び，立柱材２と横部材７とが当接する当接部位の三カ所で夫々連結固定されることになり、従って、地震等によって家屋３に作用する応力が前記各当接部位に分散作用し、応力集中によって横架材１と立柱材２との連結構造が破壊されることを防止できる実用性，強度に秀れた家屋となる。
【００５２】
また、第一凹部４は横架材１の長さ方向に延びるものであり、横部材７はこの第一凹部４に沿って延びるものであるから、横架材１と横部材７とが当接する当接部位に作用する応力、及び、立柱材２と横部材７とが当接する当接部位に作用する応力は、この横部材７に沿って分散されることになり、この点においても応力集中によって横架材１と立柱材２との連結構造の破壊を防止できることになる。
【００５３】
また、横部材７を第一凹部４及び第二凹部５に嵌合したから、この横部材７は横架材１及び立柱材２に作用する立方向の応力を良好に受けることができ、よって、この立方向の応力が前記横部材７の長さ方向に分散され、この点においても連結強度が高いことになる。
【００５４】
また、横部材７によって複数の立柱材２が疑似一体化状態となるから、各連結部の連結が隣接する連結部の連結を補助する作用も発揮し、よって、連結の弱い部分から家屋３が破壊されていくことも防止でき、この点においても連結強度が高いことになる。
【００５５】
また、横部材７が家屋３の外面側となるように構成したから、地震等によって家屋３に横揺れが作用し、立柱材２が定位置より家屋３の外方向へずり動しようとしても、前記横部材７が押え作用を発揮してこの立柱材２のずり動を防止し、よって、この点においても破壊されにくい家屋となる。
【００５６】
また、横部材７を家屋３の周囲に略囲繞状態で配設したから、家屋３はいずれの横方向からの荷重にも耐えられることになり、よって、この点においても破壊されにくい家屋となる。
【００５７】
また、横部材７の外面と、横架材１の外面及び立柱材２の外面とを面一としたから、断面形状の相違による応力集中を可及的に解消することができ、この点においても連結強度が高いことになる。
【００５８】
また、横部材７は立長のものであるから、それだけ立方向の荷重に強く、横架材１や立柱材２に作用する立方向の応力を良好に受けて分散することができる。
【００５９】
また、横部材７が土台21上や梁22の上下から突出することになり、この突出した横部材７が透き間風の家屋３への侵入を防止することになり、この点においても実用性に秀れた家屋となる。
【００６０】
また、横部材７は横架材１と略同一長さであるから、この横架材１上に立設される全ての立柱材２と横架材１とを一体化することができ、この点においてもより一層連結強度が高いことになる。
【００６１】
また、横部材７を横架材１や立柱材２に固定する固定手段は、単なる連結金具８による固定手段ではなく、木工用接着剤による固定手段も併用しているから、横部材７と横架材１や立柱材２との全当接面で両者が固定されることになり、この点においても応力集中を回避して高い連結強度が発揮されることになる。
【００６２】
また、単に木工用接着剤だけの固定でなく、連結金具８による固定手段も併用しているから、木工用接着剤による固定手段にありがちな固定強度不足を補うことができ、この点においても連結強度が高いことになる。
【００６３】
また、横部材７は筋交い部材９の連結も補助しているから、この点においても横部材７によって各部材が連結されて一体化されることになり、高い強度の家屋３となる。
【００６４】
また、第一凹部４や第二凹部５の形成は、プレカット等の簡単な手段により行うことができ、横部材７も同様であるから、非常に作業性良好且つコスト安となる。
【００６５】
また、この第一凹部４や第二凹部５への横部材７の嵌合や、この横部材７を横架材１や立柱材２を固定手段によって固定する作業も極めて簡単に行えるから、この点においても非常に作業性良好且つコスト安となる。
【００６６】
また、横架材１と立柱材２との連結強度が高いから、仮筋交いを付設したりせずとも家屋３を構築することができ、この点においても非常に作業性良好且つコスト安となる。
【００６７】
第二実施例は第一実施例の別例で、隣接する立柱材２の上下の途中に中間凹部10を夫々設け、この隣接する立柱材２の中間凹部10に前記横架材１の長さ方向に延びる中間横部材11を嵌合し且つこの中間横部材11を隣接する前記立柱材２に固定手段により固定したものである。
【００６８】
この中間横部材11は第一実施例の横部材７と同様のものを採用する。
【００６９】
この中間横部材11を立柱材２と固定する固定手段等は第一実施例と同様である。
【００７０】
また、家屋３の角部における隣接する中間横部材11同志の連結構造も、第一実施例の家屋３の角部における隣接する横部材７同志の連結構造と同様にする。
【００７１】
また、中間横部材11は、例えば上下の横部材７の丁度中間部に一本だけ配設する構成を採用したり、また、上下の横部材７の間に複数本配設する構成を採用したりして良い。
【００７２】
尚、複数本配設する場合には、強度が極めて高くなる為、筋交い部材９は不要となる。
【００７３】
この第二実施例によれば、中間横部材11の存在により、第一実施例に比して更に強度の高い家屋３となる。
【００７４】
尚、その余は第一実施例と同様である。
【００７５】
【発明の効果】
本発明は上述のように構成したから、横架材と立柱材とは、横架材と立柱材との直接連結固定の他に、横架材に設けられた第一凹部及び立柱材に設けられた第二凹部に嵌合された横部材を介しても連結固定され、この横架材と立柱材とが直接当接する当接部位，横架材と横部材とが当接する当接部位，及び，立柱材と横部材とが当接する当接部位で夫々連結固定されることになり、従って、地震等によって家屋に作用する応力が前記各当接部位に分散作用し、応力集中によって横架材と立柱材との連結構造が破壊されることを防止できる実用性，強度に秀れた家屋となる。
【００７６】
また、第一凹部は横架材の長さ方向に延びるものであり、横部材はこの第一凹部に沿って延びるものであるから、横架材と横部材とが当接する当接部位に作用する応力、及び、立柱材と横部材とが当接する当接部位に作用する応力は、この横部材に沿って分散されることになり、この点においても応力集中によって横架材と立柱材との連結構造の破壊を防止できる実用性，強度に秀れた家屋となる。
【００７７】
また、横部材を第一凹部及び第二凹部に嵌合したから、この横部材は横架材及び立柱材に作用する立方向の応力を良好に受けることができ、よって、この立方向の応力が前記横部材の長さ方向に分散され、この点においても横架材と立柱材の連結強度が高い実用性，強度に秀れた家屋となる。
【００７８】
請求項２記載の発明においては、横部材が家屋の外面側となるように構成したから、この記横部材が押え作用を発揮して横方向の応力による立柱材のずり動を防止することができ、この点においても実用性，強度に秀れた家屋となる。
【００７９】
請求項３記載の発明においては、横部材を家屋の周囲に略囲繞状態で配設したから、家屋はいずれの横方向からの応力にも強くなり、この点においてもより一層実用性，強度に秀れた家屋となる。
【００８０】
請求項４記載の発明においては、横架材の外面，立柱材の外面及び横部材の外面を面一としたから、断面形状の相違による応力集中を可及的に解消することができ、この点においても連結強度が高い家屋となる。
【００８１】
請求項５記載の発明においては、横部材として立長の板状のものを採用したから、横部材がそれだけ立方向の応力に強く、横架材や立柱材に作用する立方向の応力を良好に受けて分散することができ、よって、この点においても連結強度が高い家屋となる。
【００８２】
請求項６記載の発明においては、横部材は横架材と略同一長さであるから、この横架材上に立設される全ての立柱材と横架材とを横部材を介して一体化することができ、この点においても極めて連結強度が高い家屋となる。
【００８３】
請求項７記載の発明においては、横部材を横架材や立柱材に固定する固定手段として木工用接着剤による固定手段と連結金具による固定手段とを併用したから、横部材が横架材や立柱材との全当接面で固定され、且つ、連結金具による高強度での固定との相乗効果によって、この横部材と横架材及び立柱材との固定を極めて強固な実用性，強度に秀れた家屋となる。
【００８４】
請求項８記載の発明においては、横部材で筋交い部材の連結も補助しているから、この点においても横部材によって各部材が連結されて一体化されることになり、更に強度の高い家屋となる。
【００８５】
請求項１０記載の発明においては、立部材の上下双方が横部材を介して横架材と連結されることになり、それだけ強度の高い家屋となる。
【００８６】
請求項１１記載の発明においては、横架材と同様の中間横部材が存在しているから、家屋に作用する応力を家屋全体に分散できる極めて強度の高い家屋となる。
【図面の簡単な説明】
【図１】第一実施例の説明正面図である。
【図２】第一実施例の説明側断面図である。
【図３】第一実施例の説明拡大側断面図である。
【図４】第一実施例の説明平断面図である。
【図５】第一実施例の要部の説明斜視図である。
【図６】第二実施例の説明斜視図である。
【図７】第二実施例の説明斜視図である。
【符号の説明】
１  横架材
２  立柱材
３  家屋
４  第一凹部
５  第二凹部
７  横部材
８  連結金具
９  筋交い金具
10  中間凹部
11  中間横部材
21  土台
22  梁
23  柱
24  間柱
【図１】
0003671163.tif 000002
【図２】
0003671163.tif 000003
【図３】
0003671163.tif 000004
【図４】
0003671163.tif 000005
【図５】
0003671163.tif 000006
【図６】
0003671163.tif 000007
【図７】
0003671163.tif 000008